(57)【要約】      （修正有）【課題】パターを持ち運ぶ際にグリーン上で使用する物品を意識せずとも一緒に持ち運べるようにする。【解決手段】パターの未使用時にパターヘッドの少なくとも一部を覆うために着脱自在な構造を有するパター用カバーの一部に、タオル等の別部材を取り付けるための取付部を形成している。また、別部材に係止部を形成し、取付部に対して係止部を係止するように構成している。【選択図】図１
2004337222.tif 000002
【特許請求の範囲】
【請求項１】
パターの未使用時にパターヘッドの少なくとも一部を覆うように着脱自在に構成されたパター用カバーであって、
当該パター用カバーの一部にタオル等の別部材を取り付けるための取付部が形成されていることを特徴とするパター用カバー。
【請求項２】
取付部が孔状またはフック状を呈し、タオル等の別部材を係止可能に構成されていることを特徴とする請求項１記載のパター用カバー。
【請求項３】
取付部がタオル等の別部材に形成された係止部と協働して当該別部材を係止可能に構成されていることを特徴とする請求項１又は２記載のパター用カバー。
【請求項４】
取付部にファスナーの一方側が固定され、タオル等の別部材にファスナーの他方側が固定されていることを特徴とする請求項１記載のパター用カバー。
【請求項５】
パター用カバーがシャフト部の一部を覆うシャフトカバー部とヘッド部を覆うヘッドカバー部から構成され、取付部がシャフトカバー部に形成されていることを特徴とする請求項１乃至４記載のパター用カバー。
【発明の詳細な説明】
【０００１】
【発明の属する技術分野】この発明は、パターをキャディバッグやゴルフカートのパターケースに収納している時など、パターの未使用時において、パターのヘッド部分を覆って保護するためのパター用カバーに関するものである。
【０００２】
【従来の技術】ゴルフ競技者の間では、パターのヘッドにパター用カバーを被せておきパターの未使用時にパターのヘッドを保護することが一般的である。このパター用カバーの態様としては、ゴムや毛糸などの伸縮素材を袋状にしたもの、皮革や合成素材をヘッドの形状に合わせた内部形状とし入り口部分をマジックファスナー（登録商標）等のファスナーで塞ぐようにしたものなどが一般的である。
【０００３】また、パター用カバーに別機能を持たせたものとして、パター用カバーパター用カバーにフックを設けパター用カバーをパターから外した時に衣服のポケットやキャディバッグの口にこのフックを引っ掛けておけるようにしたものが実用新案登録第３０６７７１５号に記載されている。
【０００４】
【発明が解決しようとする課題】ゴルフ競技者は、ゴルフをする際にキャディを伴う場合とキャディを伴わないセルフプレーをする場合がある。キャディを伴っていればグリーン上で拾い上げたボールを拭く作業はキャディが行ってくれるが、セルフプレーの場合はそのボール拭きの作業を競技者自身が行わなければならない。競技者は、このボール拭きのためにタオル等を持ってグリーン上に向かうことになるが、タオル等をキャディバッグやカートに置き忘れることもしばしばである。
【０００５】この発明は、競技者がパターを持ってグリーン上へ向かう際にタオル等グリーン上で使用する物品をキャディバッグやカートに置き忘れないよう手助けすることを課題とする。すなわち、パターを持ち運ぶと同時にグリーン上で使用する物品を意識せずに持ち運べるようにすることを課題とする。
【０００６】
【課題を解決するための手段】上記課題を解決するために、この発明においては、パターの未使用時にパターヘッドの少なくとも一部を覆うために着脱自在な構造を有するパター用カバーの一部に、タオル等の別部材を取り付けるための取付部を形成している。
【０００７】
【発明の実施の形態】図１はこの発明のパター用カバーの斜視図であり、図２は図１を矢印Ａ方向から見た側視図、図３はパター用カバーに取り付けて運ぶ別部材の一例である。わかり易く説明する都合上、これら図１乃至図３の符号を引用して発明の実施の形態を説明する。
【０００８】
この発明の一実施の形態としては、図１乃至図３に示すようにパター用カバー１の取付部１２Ａ、１２Ｂを孔状またはフック状としタオル等の別部材２を係止可能に構成する。この取付部１２Ａ、１２Ｂを孔状としてタオル等の別部材２を差し込んで固定する形態、又は、取付部１２Ａ、Ｂをフック状としてタオル等の別部材２を引っ掛けて固定する形態が最も簡単な形態である。
【０００９】また、この発明の一実施の形態としては、パター用カバー１の取付部１２Ａ、１２Ｂをタオル等の別部材２に形成された係止部２１と協働して当該別部材２を係止可能となるように構成する。この係止部２１の形状はフック状もしくは孔状が一般的であり、係止部２１をフック状とした場合はパター用カバー１の取付部１２Ａ、１２Ｂを孔状に、係止部２１を孔状とした場合はパター用カバー１の取付部１２Ａ、１２Ｂをフック状とするのが好適である。
【００１０】また、この発明の一実施の形態としては、パター用カバーの取付部１２Ａ、１２Ｂにファスナー１３の一方側１３Ａを固定し、ファスナー１３の他方側１３Ｂ（図１には図示せず、図２に図示）をタオル等の別部材２に固定する構成も採用し得る。この形態により、パター用カバー１へのタオル等別部材２の着脱が容易となる。
【００１１】更にこの発明の一実施の形態としては、パター用カバー１を、パターのシャフト部の一部を覆うシャフトカバー部１１とヘッド部を覆うヘッドカバー部１０とから構成し、取付部１２Ａ、１２Ｂをシャフトカバー部に形成する。この形態により、ヘッドカバー部に取付部を形成した場合に比較し、タオル等別部材を係止した際のパター用カバーのパターからの脱落の可能性を低減することができる。特にパター用カバーをパターに取り付けた状態でパターをキャディバッグやカートに収納している際の脱落防止に好適である。
【００１２】
【実施例】この発明の一実施例を図１乃至図３に示す。図１はこの発明に基づくパター用カバーの斜視図であり、図２は図１の矢印Ａ方向からの側視図である。図３は別部材としてのタオルの平面図である。パター用カバー１は、パターのヘッド部分をカバーするヘッドカバー部１０とそのヘッドカバー部１０と連続しパターのシャフト部分をカバーするシャフトカバー部１１とから構成されている。シャフトカバー部１１には別部材２を取り付けるための取付部１２（１２Ａ、１２Ｂ）が形成されており、取付部１２Ａ、１２Ｂの周囲でパター用カバー１の内側にファスナー１３（１３Ａ、１３Ｂ）（図１には図示していないが１３Ａと対面する位置に設けられている。図２のみに図示。）が設けられている。このファスナー１３Ａ、１３Ｂとしてはマジックファスナー（登録商標）が一般的であるが、ファスナー１３Ａと１３Ｂを一時的に結合させる機能を有していればどのようなファスナーでも構わない。
【００１３】このパター用カバー１をパターに被せるときは、ファスナー１３Ａと１３Ｂを離間させた状態でパターのヘッドを挿入した後にファスナー１３Ａと１３Ｂとを互いに係止する。この状態では取付部１２Ａと１２Ｂとが重なり合うように位置するためその取付部１２Ａおよび１２Ｂを通すようにして別部材２の係止部２１を引っ掛けることにより別部材２であるタオルを係止することができる。
【００１４】別部材２としてのタオルには係止部２１が設けられており、この係止部２１がパター用カバー１の取付部１２に直接的または間接的に係止されることにより別部材２はパター用カバー１に係止される。図３においてはこの係止部２１はドーナツ状を呈しており、この係止部２１を取付部１２に係止するには図示しない中間部品であるＳ字フックなどを介するようにすればよい。もちろん係止部２１をフック状として直接的に取付部１２に引っ掛けるようにしても良いし、その逆で取付部１２をフック状としても構わない。
【００１５】以上、別部材２の係止部２１を取付部１２Ａおよび１２Ｂを通すように引っ掛けることについて説明したが、取付部１２Ａおよび１２Ｂの一方に引っ掛けるようにしても良い。取付部１２と係止部２１との関係の一例として孔とフックの関係を説明したが、その逆の関係、つまり取付部をフック、係止部を孔としても良い。また、係止することさえできれば他のどんな構造の取付部および係止部でも構わない。いわゆるチャックのようなファスナー、ボタンとボタン孔などで取付部と係止部を構成しても良い。
【００１６】以上の説明では別部材２としてタオルを例にあげて説明したが、パターカバー１とともに持ち運びグリーン付近で利用する物品であればその物品に係止部を設けることで同様の目的を達成することができる。
【００１７】また、別部材２に係止部２１を設けるものとして説明したが、パターカバー１の取付部１２に対して係止可能な構造を有する別部材であれば特に係止部を形成しなくても良い。例えば、取付部をフックとしてそこにちょうど嵌め込めるタオルを別部材とするようにしても構わない。
【００１８】
【発明の効果】この発明は、以上のようにして、競技者がパターを持ってグリーン上へ向かう際にタオル等グリーン上で使用する物品をキャディバッグやカートに置き忘れることを防ぐことができる。すなわち、パターを持ち運ぶと同時にグリーン上で使用する物品を持ち運ぶことができるものである。
【図面の簡単な説明】
【図１】実施例のパターカバーの斜視図
【図２】図１のＡ方向かた見た正面図
【図３】図１および図２のパターカバーに取付られる別部材の平面図
【符号の説明】
１  パター用カバー
２  別部材
１０  ヘッドカバー部
１１  シャフトカバー部
１２Ａ  取付部
１２Ｂ  取付部
１３Ａ  ファスナー
１３Ｂ  ファスナー
２１  係止部
【図１】
2004337222.tif 000003
【図２】
2004337222.tif 000004
【図３】
2004337222.tif 000005